(57)【要約】【課題】洗濯ハンガーが風力により初期設定した位置や角度が変化することによる乾燥効果の低下やバラツキの低減、さらに衆目を嫌う洗濯物を懸念することなく屋外に暴露できる洗濯ハンガー固定具。【解決手段】ハンガーフックもしくは少なくとも１個の竿ピンチとそれに紐などでそれぞれが独立に連結した２個以上のピンチから構成された洗濯ハンガー固定具。【選択図】図１
2015196007.tif 000002
【特許請求の範囲】
【請求項１】
二股竿ピンチに吊り紐を設け、該紐の開き角が鈍角になるように前記紐の両他端に連結するピンチをフレームに連結してなることを特徴とする洗濯ハンガー固定具。
【請求項２】
二股竿ピンチに吊り紐を設け、二股竿ピンチをフレームに連結し、前記二股竿ピンチを該紐の開き角が鈍角になるように前記紐の両他端に連結するピンチを物干し竿に連結してなることを特徴とする洗濯ハンガー固定具。
【請求項３】
二股竿ピンチは少なくとも吊り紐を互いに離れた位置で支持する支持端部を有し、支持端部を通過し離間した紐をそれぞれ長さ調節可能な中継具を経由して他端にピンチを具備してなることを特徴とすることを特徴とする洗濯ハンガー固定具。
【請求項４】
二股竿ピンチに中継板を取り付け、該中継板にそれぞれ独立して長さ調節と固定をするクランク状の通し穴を設け、通し穴を経由した紐の開き角が鈍角になるように両他端に連結するピンチを物干し竿に連結してなることを特徴とする洗濯ハンガー固定具。
【請求項５】
ピンチのクランプ部の摩擦係数を高め、直射日光下で長期間維持させるフィンガー部に耐候性あるラバーを備えた請求項１ないし請求項４に記載の洗濯ハンガー固定具。
【請求項６】
前記吊り紐は断面形状が円形、又は矩形である請求項１ないし請求項４に記載の洗濯ハンガー固定具。
【請求項７】
前記吊り紐はプラスチィック単体又は複合体からなる請求項１ないし請求項４に記載の洗濯ハンガー固定具。
【請求項８】
前記吊り紐はポリエステク樹脂からなる請求項１ないし請求項４に記載の洗濯ハンガー固定具。
【発明の詳細な説明】
【技術分野】
【０００１】
本発明は、洗濯角ハンガーやパラソルハンガー、そしてリニアハンガーが、風力によるハンガー位置の移動やハンガーフックを中心軸として懸垂しているフレームの回転のために、フレーム内の洗濯物の大きさや位置によって洗濯物の乾きにバラツキが生じたり、また、とくに肌着・下穿き類などの洗濯物に対して、ひと目に付きにくく初期設定した位置から大幅に逸脱し、衆目に触れる事態がしばしば発生することによる精神的苦痛が発生し、これを避けるための室内干しや陰干しは洗濯物が日光に照射されないという非衛生的事態に至ることに対する更なる苦痛に対し、ハンガーフックとフレームの初期設定位置を保持させ、かつフレーム内の干す位置による洗濯物の乾燥効果の低減とバラツキを少なくすることを目的とする洗濯ハンガーの固定具に関する。
【背景技術】
【０００２】
含水した繊維状洗濯物を屋外で乾燥するとき、洗濯物１個当たりの干し場に占める占有体積を少なくし、さらに乾燥後の洗濯物の取り込み時間を短縮し、さらにまた小物洗濯物の乾燥を容易ならしめるなどの機能を有する角ハンガーや、パラソルハンガー、そしてリニアハンガーなどのハンガー類が多用されるなかにあって、上記したような屋外物干し場における風力による洗濯ハンガーの位置移動やフレームの回転を防止するため、ハンガーフックをキャッチフックにしたり、また角ハンガーでは同一軸線上に複数個のフックを設けて懸垂したり、さらにまた物干し竿に固定して備えた外部の固定具でフレームを固定したり、そしてまたフレームと物干し竿を一本の紐と一個の竿バサミで緊張して連結することも行われている。
【０００３】
衆目を嫌う下着類を干すとき、フレーム内の中央位置に吊るし、さらに下着の前後にタオルなどを干し、さらに外側をバスタオルなどの大物を吊るし、下着が丸見えにならない工夫が推奨されている。
また衆目を遮断する布類を備えたハンガーも行われている。
ところで、女性もののランジェリー類、スカーフ、ストッキング、ハンカチ、フェイスタオルなどは、直射日光による黄ばみ・色あせに敏感で、陰干しにすることも推奨されているが、一方で、これらはニオイを嫌うものが多いため、乾燥にあたっては、一層の風通しを求められている。
【０００４】
洗濯機での脱水は過多であると、洗濯物の材質によっては洗濯物に皺を生ぜしめ、乾燥後にその皺が残留し、着用に耐えないという事態に至ることもある。これを防止するため、洗濯時に洗濯ネットに入れたり、脱水を少なくし、すなわち洗濯物の含水量を多くして干すということも行われている。したがって、一層の大きな乾燥速度を求められている。
【０００５】
粘土の熱風乾燥実験によると、水分の乾燥速度を乾量基準として、予備乾燥期間から順次、恒率乾燥期間、減率乾燥期間第１段を経て、乾燥速度が急激に減少して平衡含水率に至る減率乾燥期間第２段の経路を踏むといわれている。
繊維質衣類の化学構造を概観してみると、粘土や食品と比べ同様に、親水基や疎水基を有し、さらに毛管の発達もあり、それらに連なる自由水や結合水の挙動の特異性を見出しにくいことから、乾燥のメカニズムに大きな差異はないと考えられ、したがって、繊維質の乾燥も上記した乾燥の経路を辿ると考えられる。
【０００６】
乾燥速度の大きくするには、総じて、乾燥の推進力を高めること、すなわち空気の水蒸気分圧を小さくすること、減率乾燥期間第１段に至るまで、対流伝熱係数ｈを大きくするように配慮することが重要とされる。
【０００７】
屋外暴露において空気の水蒸気分圧を下げることは、一つに輻射線放射の高い物体を洗濯物近傍に配置することで温度を高めて相対的に水蒸気分圧低下にする施策が考えられるが、実用にあたってはより進歩した検討を要する。もう一つに洗濯物からの蒸発水分混入で水蒸気分圧が高まった空気をより水蒸気分圧の小さい新鮮な空気で手早く放逐する施策が考えられ、これはひいては洗濯物の平衡含水率を下げる方向にも寄与し、結果としてよい干しあがり傾向に向かうと考えられる。
【０００８】
対流伝熱係数ｈの実験式の１例として、固体表面に平行な空気流に対して与えたｈ＝０．０１７６Ｇ０．８  がある。Ｇは空気の質量速度（＝線速度×密度）である。線速度では０．６〜８ｍ／ｓで成り立つとされ、これは日常的に経験する程度の風速で、煙がなびくのがわかる〜砂ぼこりが立ち紙片が舞い上がる程度の風力に相当するものである。すなわち、この範囲では風速が２倍になると、乾燥速度は１．７倍強になり、洗濯物の乾燥に際して、洗濯物のハンガー内の位置に関係なく、風速を減じないようにその表面を通過させて行くことが重要であることを示している。                                                                                            
（先行技術文献）
【０００９】
（１）高分子と水分    高分子学会・高分子と水に関する委員会編      幸書房
（２）化学工学Ι    藤田重文著      岩波全書２１６                                        （３）食品大百科事典        （独）食品総合研究所      朝倉書店
（４）ＮＨＫ気象・災害ハンドブック    ＮＨＫ放送文化研究所編    日本放送出版協会                                                                                          
（５）家事の基本大辞典    成美堂出版編集部      成美堂出版
（６）特開２０１１−１０４３１３号公報
（７）特開２００７−１９５９１８号公報
（８）特開２００７−４４５５３号公報
（９）特開２００９−１５３７７７号公報
【発明の開示】
【発明が解決しようとする課題】
【００１０】
洗濯物を早く乾燥させるということは、乾いたあとはできるだけ早く家の中に取り込み、大気中のチリやゴミ、ホコリ、花粉などが付着しないようにし、さらに日光による色あせを少なくしたり、カビ臭などの不快なニオイを発生させない点からも大切である。一方、繊維質やデザインでは数少ない特性を強調するあまり、物理的・化学的・生物的ストレスに対して敏感な衣服類が多用されてきていて、特に女性用肌着、ランジェリー類については洗濯から乾燥そして収納に至るまでの各工程での気配りは欠かせない。
【００１１】
肌着、ランジェリー類は、型崩れしたり、日光による色あせや繊維質の紫外線劣化防止の点から角ハンガーを用いて陰干しをしたり、さらには衆目を避ける点から角ハンガー内で他の洗濯物に紛らわして取り付けたり、人目のつかない場所に角ハンガーを設置したりするため風向きが阻害され、洗濯物が常に新鮮な風速を享受しにくいという第１の問題があった。
【００１２】
また、皮脂や汗を吸いやすく、タバコ臭などのニオイも吸着しやすい肌着、ランジェリー類の洗濯物を消臭・殺菌するに際して、短時間直射日光を受光すべく３次元的に比較的任意の方向にフレーム位置を固定することは容易でないという第２の問題点があった。
【００１３】
さらにまた、フレームに懸垂した洗濯物が風を受けて、物干し竿にハンガーフックを介して位置決めした初期の位置から移動したり、ハンガーフックを中心にして大きくぶれたり、回転したりすることが同時に生じることが普遍的におこり、フレーム内ピッチに懸垂した洗濯物それぞれの表面に風本来の風速をほぼ等しく享受しにくいという第３の問題点があった。
またさらに、衆目を避けてフレーム内に初期設定した洗濯物の位置がフレームの回転などにより相対的に移動し、周囲から丸見えになってしまうという問題点があった。
【００１４】
風向は一日のあいだでも変動するし、風向は一定だが風速は一日中至軽風〜軽風なることがもあり、さらに日射方向との組み合わせが数多くあるなかで、それらを洗濯物に効率よく享受させるためのフレームの水平角及び鉛直角を連続的に任意設定し、かつそれらを乾燥時間中保持するという施策が角ハンガー等に対して不十分という問題点もあった。
【００１５】
図６に示す従来例の角ハンガーを説明する。角ハンガーは大方の使用方法として、物干し竿１にハンガーフック２をかけ、ハンガーのフレーム３上に取り付けられたピンチ４に洗濯物を吊るす。角ハンガーが風力により物干し竿上を移動しないようハンガーフック２を二股竿ピンチで固定したり、キャッチフックで固定する場合もある。ハンガーフック２を中心にして回転可能な支持板５に挿通し連結し、支持板とフレーム３とを吊り紐６によって連結しレーム３を懸垂している。 
【００１６】
従来例の角ハンガーは、ハンガーフック２を支持板５に回転自在に挿通し、ハンガーフック２を中心にして回転可能な支持板５に連結し、支持板とフレーム３とを吊り紐６によって連結しレーム３を懸垂しているので、風の方向が変化すると、洗濯物が風の吹く向に回転し、洗濯物が不安定になり、洗濯物が落下の可能性もあり、洗濯物の乾燥もむらになり、初期の目的を達成できない。
【課題を解決するための手段】
【００１７】
本発明の第１発明は、一個の二股竿ピンチに中継板を取り付け、該中継板にそれぞれ独立して長さ調節と固定をするクランク状の通し穴を設け、通し穴を経由した紐の開き角が鈍角になるように他端に連結する２個のピンチをフレームに連結して構成される洗濯ハンガー固定具からなる。
【００１８】
また、本発明の他の発明は、竿ピンチは少なくとも紐を互いに離れた位置で支持する支持端部を有し、支持端部を通過し離間した紐をそれぞれ長さ調節可能な中継具を経由して他端に二股ピンチなどのピンチを具備して構成する洗濯ハンガー固定具からなる。
【発明の効果】
【００１９】
本発明によれば、ハンガーフックを物干し竿に固定し、ハンガーフックと紐で連結したピンチをフレームに取り付け、紐長さなどを調節することでフレームの水平角や鉛直角を長時間保持することができる。
【発明を実施するための形態】
【００２０】
図１は本発明の第１実施例の斜視図、図２は本発明品を物干し竿に懸垂した第１実施例の斜視図である。本発明品は、物干し竿１を挟持する二股竿ピンチ７におよそ厚さ１．５ｍｍ×８０ｍｍ×１４０ｍｍの中継板８が物干し竿１に平行に連結されている。中継板８には、洗濯物が風や日光をよく享受し、そして目隠し効果も得られるように、フレーム３の水平角と鉛直角を調節するが、さらにフレーム３の異なる大きさと形に対応するための吊り紐９に長さ調節とその固定ができるように、中継板８にはクランク状にφ３．８ｍｍ紐通し孔８１が左右対称に設けられており、材質ナイロンのおよそφ４ｍｍの江戸打ち紐による吊り紐９が挿通されて吊り紐９を経由してピンチ１０へと連結されている。吊り紐９の他端にフレーム３を挟んで位置決めする２つのピンチ１０が設けられている。中継板８とばね１１の連結は、二股竿ピンチ７のピッチ１２ｍｍをなす２つのバネ１１を中継板８に施した２つの貫通穴１２に、穴径クリアランス０．４ｍｍとなるように加工して通すことによって行われている。２本の紐間ピッチは８０ｍｍである。ピンチ１０のクランプ部にはフレーム３へのクランプを確かなものにするため、摩擦係数が大で、耐候性にすぐれたシリコーンゴムチューブ１４で被覆されている。吊り紐９を経由して２つのピンチ１０の開き角は鈍角αをなし、吊り紐９は緊張している。
【００２１】
フレーム３周辺に３０個のピンチを有する外形３５ｃｍ×８０ｃｍの角ハンガーに、洗濯脱水完了した大きさ３０ｃｍ×６３ｃｍのタオル１０枚を、フレーム３の長手方向に直角に、かつタオル短手が水平方向になるよう懸垂したものについて、気温９〜１０℃、湿度３０〜３５％RH、風速はおよそ軽風での屋外乾燥実験を行った。なお、タオルに含まれている当初の水分量は、懸垂はじめと実験完了後の２８℃、３０％RH弱雰囲気で強制乾燥したときに恒量となった重量との差異とした。                                                                                                                                  
【００２２】
本第１発明品を用いて全タオルに風が平行に通過するようにした場合と本発明品を用いない自然状態で乾燥した図６に示す従来例のものの場合とのタオルの動きは、本発明品はどのタオルも裾部が風に煽られ、裾部がねじれつつ風向き方向に運動している一方、従来例のものは最端部タオル表面が防風的に全風力を受けている様子で、タオル表面が風向きにほぼ直角方向に向いていて、フレーム３中央部に配置している数枚の動きは比較的大きいが、最端部に近い位置のタオルの動きは緩やかで、タオル裾部が小さく運動してはいるが、裾部がねじれるほどでなく、洗濯物全体が風向き方向に脈動している動きであった。また、フレーム３の水平角の振れ幅は、第１発明品でおよそ１０°、自然状態品でおよそ３５°弱であった。    
【００２３】
タオルの３時間後の脱水量は、最端部から３枚目について、本発明品では初期含水量の８９．３%、自然状態品では風向きの最も陰になる最端部の位置から３枚目で７０．１％，一方、中央部に配置したタオルについては、本第１発明品・従来品はそれぞれ８９．７％，８５．４％であった。
つまり、発明品ではフレーム３に配置した位置による差異はないが、自然状態品ではフレーム３上に干す位置による差異があり、乾燥速度が小さいことが判明し、発明品の優位性が示された。
【００２４】
さらに、顔に強く風を感じる天候時での道路に面した２階ベランダで、上記角ハンガーに冬物下着類を１２個混載した乾燥実験によると、本発明品では風力によるフレーム３の水平角の振れ幅で最大で３０°、自然状態品では最大で１２０°に達し、概ね９５°の範囲でほぼ常時振れた。
このような自然状態品でのフレーム３の動きは、当然洗濯物の動きも連動するもので、ランジェリーなど衆目を気にする洗濯物の洗濯ハンガーとしては適性を欠いていると推察された。さらにまた、こうしたフレーム３の運動は、図６にみる支持板５に応力の集中がおき、その磨耗などによる損傷を早め、結果として角ハンガーの使用寿命を短縮化させ、経済的、資源的な無駄に繋がると考えられる。   
以上の乾燥実験で、乾燥速度やフレーム固定化の点で本第１発明品の有為性は明らかである。
【００２５】
またなお、フレーム３の風力による回転運動などを恒常的に小さくし、さらに小型化するという点からすると、中継板８を削除することが考えられる。これによって、バネ１１と通し穴１２のクリアランスから由来する中継板８の運動によるフレーム３の運動が消去される。さらに、使用回数を重ねるとそのクリアランスが増大するから吊り紐９の二股ピンチ７への直接結合が妥当である。
【００２６】
これらに対応する第２の発明を図３、図４に示す。第２の発明には、物干し竿１を把持する竿ピンチ１５を、竿ピンチ１５に平行に２つのフィンガー１７を設け、フィンガー１７の端部を折り曲げて吊り紐１６を互いに８０ｍｍ離して固定するために幅２０ｍｍ×平均厚さ３．５ｍｍのフィンガーバー１８をフィンガー２１と直角方向に設ける。
また、φ４ｍｍの吊り紐１６の長さを調節・固定するために、吊り紐１６の断面積より小さいφ３．８ｍｍの通し穴をクランク状に３個設けた板厚１．５ｍｍの中継具１８を設け、中継具１８に吊り紐１６を挿通してシリコーンゴムチューブ１９付きピンチ２０を吊り紐１６の端部に設けている。
【００２７】
なお、本発明は、上記実施例に限定されるものではなく、本発明の趣旨に基づいて種々変形が可能であり、これらを本発明の範囲から排除するものではない。たとえば、上記した乾燥実験では、従来のハンガーフック２を固定しつつフレーム３を２つのピッチ１０で位置決めしていたが、図５に示すように、フレーム３を二股竿ピッチ７で挟持し、２つのピッチ１０を物干し竿１に固定することも当然考えられる使用方法である。
また、ハンガーフック２もしくはキャッチフックに固定して吊り紐９もしくは同１６を直結して設置することももちろん考えられる。
【００２８】
さらにまた、中継板８もしくはフィンガーバー１７を変形してハンガーフック２もしくはキャッチフックに設置することも当然考えられるところである。
またさらに、吊り紐９、１６はその長さ調節とその固定する中継板８もしくは中継具１８を付属させていたが、フレームの大きさごとに対応することで紐の長さを固定できるので、中継板および中継具を削除し、紐のみでハンガーフックもしくはキャッチフックに直結することも考えられる。これによるフレーム３への調節は、フレーム３へのピンチ１０もしくは２０のクランプ位置を選択することでかなりの範囲で適用できる。
なお、吊り紐９もしくは１６の断面形状は円形に拘らずに矩形などであってもよく、また材質はナイロン単体でないゴムなどの弾性体もしくはプラスチック剛体を含んだ複合体や、さらにはより耐候性にすぐれたポリエステルも考えられる。
【図面の簡単な説明】
【００２９】
【図１】第１発明の実施例の斜視図である。
【図２】第１発明を角ハンガーに設置した実施例の斜視図である。
【図３】第２発明の実施例の斜視図である。
【図４】第２発明を角ハンガーに設置した実施例の斜視図である。
【図５】第２発明を角ハンガーに設置した他の実施例の斜視図である。
【図６】従来の角ハンガーの部分を示す斜視図である。
【符号の説明】
【００３０】
１：物干し竿
２：ハンガーフック
３：フレーム
４：ピッチ
５：支持板
６：吊り紐
７：二股竿ピンチ
８：中継板
９：吊り紐
１０：ピンチ
１１：バネ
１２：貫通穴
１３：貫通穴
１４：シリコーンゴムチューブ
１５：竿ピンチ
１６：吊り紐
１７：フィンガーバー
１８：中継具
１９：シリコーンゴムチューブ
２０：ピンチ
２１：フィンガー
【図１】
2015196007.tif 000003
【図２】
2015196007.tif 000004
【図３】
2015196007.tif 000005
【図４】
2015196007.tif 000006
【図５】
2015196007.tif 000007
【図６】
2015196007.tif 000008